(57)【要約】【課題】大規模災害発生時に簡便な操作で安否確認システムの災害情報処理サーバに登録された安否確認情報の取得および安否確認情報の登録ができる情報処理装置を提供する。【解決手段】情報処理装置１０は、大規模災害発生時に発令される緊急地震速報などの災害情報の取得により震災モードへ移行し、災害情報処理サーバ４０から安否確認情報を取得する際に要求される指定情報（例えば電話番号）を、接続された携帯端末３０に保存されている電話帳などから所定条件に基づいて抽出し、当該指定情報を用いて災害情報処理サーバ４０より安否確認情報を取得する。また、接続された携帯端末３０から災害情報処理サーバ４０に安否確認情報として登録できる個人情報（たとえば、携帯端末の持ち主の名前や電話番号など）を所定条件に基づいて抽出し、当該個人情報を安否確認情報として災害情報処理サーバ４０に登録する。【選択図】図３
2011019199.tif 000002
【特許請求の範囲】
【請求項１】
接続された携帯端末と通信を行う端末通信部と、
安否確認情報を提供する災害情報処理サーバと通信するためのネットワーク通信部と、
前記端末通信部に接続された携帯端末に保存されている情報の中から、前記災害情報処理サーバに対して提供を要求する安否確認情報の指定情報を抽出し、該抽出した指定情報に対応する安否確認情報の提供要求を前記災害情報処理サーバへ前記ネットワーク通信部から送信させる制御部と、
を有する
ことを特徴とする情報処理装置。
【請求項２】
前記制御部は、前記携帯端末に保存されている情報の中から、所定の検索キーワードを属性に有する指定情報を抽出する
ことを特徴とする請求項１に記載の情報処理装置。
【請求項３】
前記制御部は、前記携帯端末に保存されている情報の中から、分類を示す所定の検索キーワードに基づいて前記指定情報を抽出する
ことを特徴とする請求項１または２に記載の情報処理装置。
【請求項４】
前記制御部は、前記携帯端末に保存されているフォルダの中から、所定の検索キーワードがフォルダ名称に含まれているフォルダもしくは所定の検索キーワードを含む情報がフォルダ内に登録されているフォルダを検索し、そのフォルダ内から前記指定情報を抽出する
ことを特徴とする請求項１乃至３のいずれか一項に記載の情報処理装置。
【請求項５】
前記制御部は、前記携帯端末に保存されている電話帳もしくはアドレス帳を検索して前記指定情報を抽出する
ことを特徴とする請求項１乃至４のいずれか一項に記載の情報処理装置。
【請求項６】
前記制御部は、前記安否確認情報の提供を受けるための指定情報を、前記携帯端末内に保存されている通信履歴に基づいて抽出する
ことを特徴とする請求項１に記載の情報処理装置。
【請求項７】
前記検索キーワードの設定を受ける検索条件設定部をさらに有する
ことを特徴とする請求項１乃至６のいずれか一項に記載の情報処理装置。
【請求項８】
前記携帯端末から抽出した前記指定情報を表示する表示部と、
前記表示部に表示されている前記指定情報の選択をユーザから受ける操作部と、
をさらに備え、
前記制御部は、前記操作部を通じて選択された指定情報に対応する安否確認情報の提供要求を前記災害情報処理サーバへ前記ネットワーク通信部から送信させる
ことを特徴とする請求項１乃至７のいずれか一項に記載の情報処理装置。
【請求項９】
前記制御部は、前記端末通信部に接続された携帯端末に保存されている情報の中から、前記災害情報処理サーバへの登録対象となる個人情報を抽出し、該抽出した個人情報を安否確認情報として登録する要求を前記災害情報処理サーバへ前記ネットワーク通信部から送信させる
ことを特徴とする請求項１乃至８のいずれか一項に記載の情報処理装置。
【請求項１０】
接続された携帯端末と通信を行う端末通信部と、
安否確認情報を提供する災害情報処理サーバと通信するためのネットワーク通信部と、
前記端末通信部に接続された携帯端末に保存されている情報の中から、前記災害情報処理サーバへの登録対象となる個人情報を抽出し、該抽出した個人情報を安否確認情報として登録する要求を前記災害情報処理サーバへ前記ネットワーク通信部から送信させる制御部と、
を有する
ことを特徴とする情報処理装置
【請求項１１】
前記制御部は、前記登録対象の個人情報として、前記携帯端末に保存されている前記携帯端末の保有者の個人情報を抽出する
ことを特徴とする請求項９または１０に記載の情報処理装置。
【請求項１２】
前記制御部は、前記携帯端末に保存されている情報の中から、所定の検索キーワードを属性に有する個人情報を前記登録対象の個人情報として抽出する
ことを特徴とする請求項９または１０に記載の情報処理装置。
【請求項１３】
前記携帯端末から取得した前記登録対象の個人情報を表示する表示部と、
前記表示部に表示されている前記個人情報の登録許可をユーザから受ける操作部と、
をさらに備え、
前記制御部は、前記操作部を通じて登録許可を受けた個人情報を安否確認情報として登録する要求を前記災害情報処理サーバへ前記ネットワーク通信部から送信させる
ことを特徴とする請求項９乃至１２のいずれか一項に記載の情報処理装置。
【発明の詳細な説明】
【技術分野】
【０００１】
本発明は、災害情報処理サーバに登録されている安否確認情報の提供を災害情報処理サーバに対して要求する情報処理装置に関する。
【０００２】
以前より、信頼できる観測結果から大規模災害が至近に発生すると予想した場合に、気象庁より専用の回線を用いて大規模災害発生の予報が提供されてきた（たとえば、緊急地震速報）。
【０００３】
また、近年、大規模災害が発生した際に、サーバ上の専用掲示板などを介し、被災者自身が所持する携帯端末から送信した情報をもとに安否を確認する安否確認システムが提供されている。
【０００４】
また、大規模災害発生情報を情報処理装置が取得した際、当該情報処理装置が提供する通常のユーザーインターフェース画面から、安否確認システムの利用に特化した緊急災害時用のユーザーインターフェースへ自動的に移行するシステムがある（たとえば、特許文献１参照）。
【先行技術文献】
【特許文献】
【０００５】
【特許文献１】特開２００８−４６８０９号公報
【発明の概要】
【発明が解決しようとする課題】
【０００６】
災害情報処理サーバを用いた安否確認システムは便利ではあるが、災害情報処理サーバから安否確認情報を入手するためには、安否を確認したい対象（個人）の指定情報（たとえば、電話番号）を災害情報処理サーバに送信する必要がある。しかし、大規模災害発生直後などの緊急時に電話番号などの指定情報を携帯電話などの端末装置に手入力して災害情報処理サーバへ送信する作業が煩雑で、使い勝手が良くないという問題があった。また、電話番号などの指定情報を覚えていない場合には、目的の安否確認情報を入手することができなかった。
【０００７】
なお、災害情報処理サーバに安否確認情報を登録する場合にも、登録対象の安否確認情報の指定情報（安否確認情報に係る個人を特定する情報）を端末装置に手入力して送信する作業が煩雑であるという問題があった。
【０００８】
本発明は、上記の問題を解決しようとするものであり、簡便な操作で災害情報処理サーバから所望の安否確認情報を入手することのできる情報処理装置を提供することを目的としている。また、簡便な操作で災害情報処理サーバへ安否確認情報を登録することのできる情報処理装置を提供することを目的としている。
【課題を解決するための手段】
【０００９】
かかる目的を達成するための本発明の要旨とするところは、次の各項の発明に存する。
【００１０】
［１］接続された携帯端末と通信を行う端末通信部と、
安否確認情報を提供する災害情報処理サーバと通信するためのネットワーク通信部と、
前記端末通信部に接続された携帯端末に保存されている情報の中から、前記災害情報処理サーバに対して提供を要求する安否確認情報の指定情報を抽出し、該抽出した指定情報に対応する安否確認情報の提供要求を前記災害情報処理サーバへ前記ネットワーク通信部から送信させる制御部と、
を有する
ことを特徴とする情報処理装置。
【００１１】
上記発明では、制御部は災害情報処理サーバに対して提供を要求する安否確認情報の指定情報を、接続された携帯端末内に保存されている情報の中から抽出し、その抽出した指定情報を災害情報処理サーバに送信して安否確認情報の提供を要求する。これにより、安否確認情報の提供を要求する際の操作が簡便となる。
【００１２】
［２］前記制御部は、前記携帯端末に保存されている情報の中から、所定の検索キーワードを属性に有する指定情報を抽出する
ことを特徴とする［１］に記載の情報処理装置。
【００１３】
上記発明では、制御部は、接続された携帯端末からの指定情報の検索・抽出を、指定情報の属性として保存されている情報を、所定のキーワードで検索することによって行う。たとえば、電話帳データベースには、各人の電話番号に対応付けてその電話番号に対応する個人が家族であるか友人であるか会社の同僚であるかといった属性が登録されることが多い。そこで、携帯端末に保存されている各種情報の属性を家族などのキーワードで検索することにより、そのキーワードを属性に有する情報が安否確認情報の指定情報として抽出される。これにより、家族や友人といったキーワードなどを用いて指定情報の検索を行うことができる。たとえば、安否確認情報の指定情報が電話番号である場合、家族や友人の電話番号を覚えていなくても、「家族」や「友人」をキーワードとして入力することで該当する電話番号を、携帯端末から抽出して災害情報処理サーバに送信し、目的の安否情報を取得することができる。
【００１４】
［３］前記制御部は、前記携帯端末に保存されている情報の中から、分類を示す所定の検索キーワードに基づいて前記指定情報を抽出する
ことを特徴とする［１］または［２］に記載の情報処理装置。
【００１５】
上記発明では、同一の分類に属する複数の指定情報を、その分類を検索キーワードとして一括して抽出することができる。たとえば、携帯端末に、父、母、兄、妹に係る安否確認情報の指定情報（各個人の電話番号など）がそれぞれ家族という分類で登録されていれば、検索条件として家族という検索キーワードを使用することで、父、母、兄、妹に係るすべての指定情報を抽出することができる。
【００１６】
［４］前記制御部は、前記携帯端末に保存されているフォルダの中から、所定の検索キーワードがフォルダ名称に含まれているフォルダもしくは所定の検索キーワードを含む情報がフォルダ内に登録されているフォルダを検索し、そのフォルダ内から前記指定情報を抽出する
ことを特徴とする［１］乃至［３］のいずれか一項に記載の情報処理装置。
【００１７】
上記発明では、接続された携帯端末内に保存されている指定情報を、その情報が含まれているフォルダごと抽出することができる。これにより同じフォルダに含まれる複数の指定情報を一度に抽出することができる。
【００１８】
たとえば、家族というキーワードを用いれば、接続された携帯端末内に存在する家族という名称のフォルダに保存されているすべての指定情報が検索結果として抽出される。
【００１９】
［５］前記制御部は、前記携帯端末に保存されている電話帳もしくはアドレス帳を検索して前記指定情報を抽出する
ことを特徴とする請求項１乃至４のいずれか一項に記載の情報処理装置。
【００２０】
上記発明では、接続された携帯端末内に保存されている個人情報のデータベースである、電話帳やアドレス帳などを検索して安否確認情報の指定情報（電話番号やアドレスなど）を抽出することができる。これらのデータベースには対象（個人）の名称と関連付けられた複数の属性、たとえば、電話番号や住所、続柄（同僚、友人、家族）などが登録されているため、適切な属性を検索条件とすることで安否確認情報の指定情報を簡便に抽出することができる。
【００２１】
［６］前記制御部は、前記安否確認情報の提供を受けるための指定情報を、前記携帯端末内に保存されている通信履歴に基づいて抽出する
ことを特徴とする［１］に記載の情報処理装置。
【００２２】
上記発明では、接続された携帯端末で行われた通信の履歴に基づいて安否確認情報の指定情報が検索される。すなわち、通話の時間や回数、頻度などを用いて、当該携帯端末の持ち主が安否確認情報の取得を希望するであろう個人を特定してその指定情報を抽出する。たとえば、安否確認情報の指定情報の取得に電話番号が必要である場合、直近に通話した相手の電話番号を覚えていなくても直近の通話相手を通信履歴から検索することでその電話番号を災害情報処理サーバに送信し、安否確認情報を取得することができる。また、通話頻度の高い電話番号の相手は当該携帯端末の持ち主と関係の深い人物と想定できるので、通話頻度の高い電話番号を安否確認の必要な個人の指定情報として抽出することで、適切な指定情報を抽出することができる。
【００２３】
［７］前記検索キーワードの設定を受ける検索条件設定部をさらに有する
ことを特徴とする［１］乃至［６］のいずれか一項に記載の情報処理装置。
【００２４】
上記発明では、ユーザから検索キーワードの設定を受け付けることができる。これにより、たとえば、予め情報処理装置に保存された既存のキーワードを使用するだけではなく、ユーザが任意に設定登録した新たなキーワードを検索キーワードとして使用することができる。
【００２５】
［８］前記携帯端末から抽出した前記指定情報を表示する表示部と、
前記表示部に表示されている前記指定情報の選択をユーザから受ける操作部と、
をさらに備え、
前記制御部は、前記操作部を通じて選択された指定情報に対応する安否確認情報の提供要求を前記災害情報処理サーバへ前記ネットワーク通信部から送信させる
ことを特徴とする［１］乃至［７］のいずれか一項に記載の情報処理装置。
【００２６】
上記発明では、接続された携帯端末内から安否確認情報の指定情報が多数抽出された場合に、それら指定情報の中から安否確認情報を取得したい対象（個人）の指定情報のみをユーザが選択することができる。これにより、キーワードなどを検索キーとした抽出で所望の対象（個人）の指定情報のみをうまく抽出できなかった場合でも、その中から必要な指定情報を選択すれば、災害情報処理サーバから所望の対象（個人）の安否確認情報のみを取得することができる。たとえば、家族をキーワードとして携帯端末から指定情報の抽出を行い、父・母・兄・妹の指定情報が抽出されたが、父以外の安否がすでに確認できていた場合には、父の指定情報のみを選択することで父の安否確認情報のみを災害情報処理サーバから選択的に取得することができる。
【００２７】
［９］前記制御部は、前記端末通信部に接続された携帯端末に保存されている情報の中から、前記災害情報処理サーバへの登録対象となる個人情報を抽出し、該抽出した個人情報を安否確認情報として登録する要求を前記災害情報処理サーバへ前記ネットワーク通信部から送信させる
ことを特徴とする［１］乃至［８］のいずれか一項に記載の情報処理装置。
【００２８】
上記発明により、接続された携帯端末内の個人情報を、大規模災害発生時に災害情報処理サーバへその個人の安否確認情報として、簡便な操作で登録することができる。
【００２９】
［１０］接続された携帯端末と通信を行う端末通信部と、
安否確認情報を提供する災害情報処理サーバと通信するためのネットワーク通信部と、
前記端末通信部に接続された携帯端末に保存されている情報の中から、前記災害情報処理サーバへの登録対象となる個人情報を抽出し、該抽出した個人情報を安否確認情報として登録する要求を前記災害情報処理サーバへ前記ネットワーク通信部から送信させる制御部と、
を有する
ことを特徴とする情報処理装置。
【００３０】
上記発明では、制御部は災害情報処理サーバへ安否確認情報として登録する個人情報を、接続された携帯端末内に保存されている情報の中から抽出し、その抽出した個人情報を災害情報処理サーバに送信して安否確認情報として登録する要求を行う。これにより、安否確認情報を登録する際の操作が簡便となる。
【００３１】
［１１］前記制御部は、前記登録対象の個人情報として、前記携帯端末に保存されている前記携帯端末の保有者の個人情報を抽出する
ことを特徴とする［９］または［１０］に記載の情報処理装置。
【００３２】
上記発明により、携帯端末に保存されている個人情報のうち、携帯端末保有者として登録されている個人の情報を自動的に抽出し、その個人の安否確認情報として災害情報処理サーバに登録できる。
【００３３】
［１２］前記制御部は、前記携帯端末に保存されている情報の中から、所定の検索キーワードを属性に有する個人情報を前記登録対象の個人情報として抽出する
ことを特徴とする［９］または［１０］に記載の情報処理装置。
【００３４】
上記発明では、制御部は、接続された携帯端末からの個人情報の検索・抽出を、個人情報の属性として保存されている情報を、所定のキーワードで検索することによって行う。たとえば、電話帳データベースには、各人の電話番号に対応付けてその電話番号に対応する個人が家族であるか友人であるか会社の同僚であるかといった属性が登録されることが多い。そこで、携帯端末に保存されている各種情報の属性を家族などのキーワードで検索することにより、そのキーワードを属性に有する情報が個人情報として抽出される。これにより、家族や友人といったキーワードなどを用いて個人情報の検索を行うことができる。たとえば、家族や友人の詳細な個人情報を覚えていなくても、「家族」や「友人」をキーワードとして入力することで該当する個人情報を、携帯端末から抽出して災害情報処理サーバに送信し、その個人の安否確認情報として登録することができる。
【００３５】
［１３］前記携帯端末から取得した前記登録対象の個人情報を表示する表示部と、
前記表示部に表示されている前記個人情報の登録許可をユーザから受ける操作部と、
をさらに備え、
前記制御部は、前記操作部を通じて登録許可を受けた個人情報を安否確認情報として登録する要求を前記災害情報処理サーバへ前記ネットワーク通信部から送信させる
ことを特徴とする［９］乃至［１２］のいずれか一項に記載の情報処理装置。
【００３６】
上記発明では、接続された携帯端末内から安否確認情報として登録できる個人情報が多数抽出された場合に、それら個人情報の中から安否確認情報として登録したい対象（個人）の個人情報のみをユーザが選択することができる。これにより、キーワードなどを検索キーとした抽出で所望の対象（個人）の個人情報のみをうまく抽出できなかった場合でも、その中から必要な個人情報のみを選択すれば、災害情報処理サーバへ所望の対象（個人）の個人情報のみその対象（個人）の安否確認情報として登録することができる。たとえば、家族をキーワードとして携帯端末から個人情報の抽出を行い、父・母・兄・妹の個人情報が抽出されたが、父以外の安否確認情報がすでに災害情報処理サーバへ登録できていた場合には、父の個人情報のみを選択することで父の安否確認情報のみを災害情報処理サーバへ選択的に登録することができる。
【発明の効果】
【００３７】
本発明に係る情報処理装置であって、接続された携帯端末から安否確認情報の指定情報を抽出し、その指定情報を用いて災害情報処理サーバに安否確認情報の提供を要求するものでは、簡便な操作で災害情報処理サーバから所望の安否確認情報を入手することが出来る。
【００３８】
また、接続された携帯端末から災害情報処理サーバへの登録対象となる個人情報を抽出し、その個人情報を安否確認情報として災害情報処理サーバに登録を要求するものでは、簡便な操作で災害情報処理サーバへ安否確認情報を登録することが出来る。
【図面の簡単な説明】
【００３９】
【図１】本発明の実施の形態に係る情報処理装置を含むシステム全体の構成例を示す説明図である。
【図２】情報処理装置の概略構成を示すブロック図である。
【図３】操作部からの入力による安否情報検索の動きを示す流れ図である。
【図４】検索条件による自動安否検索の動きを示す流れ図である。
【図５】震災モードＵＩ表示画面例の説明図である。
【図６】検索条件による携帯端末内検索の手順を示す説明図である。
【図７】ファイル属性によるフォルダ抽出を用いた検索の手順を示す説明図である。
【図８】複数の検索条件による携帯端末内検索の手順を示す説明図である。
【図９】操作部からの入力による安否情報登録の動きを示す流れ図である。
【図１０】自動安否情報登録の動きを示す流れ図である。
【図１１】登録する安否確認情報を確認するためのユーザーインターフェース例の説明図である。
【図１２】登録する安否確認情報を入力するためのユーザーインターフェース例の説明図である。
【図１３】情報処理装置が取得した個人情報が、災害情報処理サーバへ登録される手順を示す説明図である。
【発明を実施するための形態】
【００４０】
以下、図面に基づき本発明の実施形態を説明する。
【００４１】
図１は、本発明の実施の形態に係るシステム全体の構成例を示している。本システムは、情報処理装置１０と携帯端末３０と災害情報処理サーバ４０とで構成されている。
【００４２】
情報処理装置１０と携帯端末３０、および情報処理装置１０と災害情報処理サーバ４０とは有線または無線で通信可能に接続される。この接続は情報処理装置１０との間に外部ネットワークを介した間接的なものでも、情報処理装置１０と直接的に繋いだものでもよい。
【００４３】
携帯端末３０は携帯可能な情報処理端末である。たとえば、携帯電話や小型ＰＣ（Personal Computer）等であり、携帯端末３０の保有者の個人情報などを保存する記憶機能を備え、この記憶機能が保存する情報を外部から読み出して取得できるようになっている。
【００４４】
また、携帯端末３０は記憶機能を用いたデータベースとして電話帳やアドレス帳を備えている。このデータベースには、データ本体とその属性とを含むファイルが登録される。たとえば、電話帳の場合、電話番号がデータ本体であり、その電話番号に対応付けされている個人名、続柄などが属性に相当する。さらに、ファイル名や、データベース内がフォルダに分類されている場合にはそのフォルダ名なども、上記属性の１つにされる。これらの属性を検索キーワードとすることで、目的の電話番号（指定情報）を検索可能となっている。
【００４５】
災害情報処理サーバ４０は大規模災害発生時に災害伝言掲示板あるいは安否確認システムなどを管理するサーバであり、各種情報処理端末（たとえば、情報処理装置１０）から災害伝言掲示板に登録するためにアップロードされた伝言などの安否確認情報を該災害伝言掲示板に登録する機能を備える。登録された安否確認情報はこの安否確認情報に関連付けられた指定情報を災害伝言掲示板に送信することで閲覧できる。
【００４６】
災害伝言掲示板とは災害情報処理サーバ４０内に設置された、被災者の伝言や画像などを登録し外部ネットワークを介して安否確認情報として一般に公開する電子掲示板である。安否確認システムとは、この災害伝言掲示板を処理するサーバと、安否確認情報の登録また安否確認情報の閲覧を行う端末から構成された、外部ネットワークを介して大規模災害発生時に遠隔地から被災者の安否確認情報を災害伝言板によって提供するシステムである。
【００４７】
災害情報処理サーバ４０は登録した安否確認情報を、その安否確認情報の対象（個人）に対応した指定情報を送信することで提供する。たとえば、ある対象（個人）の安否を確認する場合には、安否確認システムの災害情報処理サーバに該当する対象（個人）の電話番号を送信することで、その対象（個人）の電話番号に対応付けて登録されている、その対象（個人）の伝言といった安否確認情報を取得できる。
【００４８】
災害情報処理サーバ４０に安否確認情報として登録された伝言などのデータは、外部ネットワークなどを介して接続することで外部の端末装置（たとえば、携帯端末３０）や情報処理装置（たとえば、情報処理装置１０）などから検索および内容閲覧が可能に構成されている。
【００４９】
情報処理装置１０は、災害情報処理サーバ４０に対して安否確認情報を登録する安否確認情報登録機能、および、安否確認情報の提要を災害情報処理サーバ４０に対して要求する安否情報検索機能を果たす。詳細には、情報処理装置１０は、接続された携帯端末３０に保存されている情報の中から、災害情報処理サーバ４０に対して提供を要求する安否確認情報の指定情報（たとえば、個人の電話番号）を抽出し、該抽出した指定情報に対応する安否確認情報の提供を災害情報処理サーバ４０に要求する安否情報検索機能、および、接続された携帯端末３０に保存されている情報の中から災害情報処理サーバ４０への登録すべき個人情報を抽出し、該抽出した個人情報を安否確認情報として登録する要求を災害情報処理サーバ４０に対して送信する安否情報登録機能を備えている。
【００５０】
なお、ここでは、情報処理装置１０は、原稿画像を光学的に読み取ってその複製画像を記録紙に印刷するコピー機能、読み取った原稿の画像データをファイルにして保存したり外部端末へ送信したりするスキャン機能、パーソナルコンピュータなどの端末から受信した印刷データに基づいて画像を記録紙上に形成して印刷出力するプリント機能、画像データを送受信するファクシミリ機能などを備えた、ディジタル複合機（ＭＦＰ（Multi Function Printer））と称される装置として構成されている。そして、通常はＭＦＰとして動作するが、大規模災害発生時には震災モードへ移行し、上記の安否情報検索機能や安否情報登録機能を果たす装置として動作するようになっている。
【００５１】
図２は、本発明の実施の形態に係る情報処理装置１０の構成を示すブロック図である。当該情報処理装置１０は、当該情報処理装置１０の動作を統括制御する制御部としてのＣＰＵ（Central Processing Unit）１１にバス１２を介して、ＲＯＭ(Read Only Memory)１３と、ＲＡＭ(Random Access Memory)１４と、不揮発メモリ１５と、スキャナ部１６と、プリンタ部１７と、ファクシミリ通信部１８と、ネットワーク通信部１９と、表示部２０と、操作部２１と、画像処理部２２と、補助記憶装置接続部２４と、端末通信部２５と、検索条件記憶部２６と、補助記憶装置接続部２４を介して補助記憶装置２３とを接続して構成される。
【００５２】
ＲＯＭ１３には各種のプログラムが格納されており、これらのプログラムに従ってＣＰＵ１１が処理を実行することにより情報処理装置１０としての各機能が実現される。ＲＡＭ１４はＣＰＵ１１がプログラムを実行する際に各種のデータを一時的に格納するワークメモリや画像データを格納する画像メモリ、送受信に係るデータを一時的に保存する通信バッファなどとして利用されるランダム・アクセス・メモリである。
【００５３】
ネットワーク通信部１９は、ＬＡＮ（Local Area Network）などのネットワークを介してパーソナルコンピュータなどの端末装置（たとえば、携帯端末３０）やサーバ（たとえば、災害情報処理サーバ４０）などと通信して各種のデータや情報を送受信する機能を果たす。
【００５４】
不揮発メモリ１５は、電源をＯＦＦにしてもその記憶内容が保存される書き換え可能なメモリである。この不揮発メモリ１５には、情報処理装置１０に対して設定された各種の設定内容（設定値）、ユーザ情報などが保存される。さらに、この不揮発メモリ１５には災害情報処理サーバ４０にアクセスするためのアドレス情報が保存される。このアドレス情報は、たとえば、所定の登録画面を通じて入力される、あるいはネットワーク通信部を通じて外部端末から受信されるようになっている。
【００５５】
スキャナ部１６は、原稿を光学的に読み取って画像データを取得する機能を果たす。スキャナ部１６は、たとえば、原稿に光を照射する光源と、その反射光を受けて原稿を幅方向に１ライン分読み取るラインイメージセンサと、ライン単位の読み取り位置を原稿の長さ方向に順次移動させる移動手段と、原稿からの反射光をラインイメージセンサに導いて結像させるレンズやミラーなどからなる光学経路、ラインイメージセンサの出力するアナログ画像信号をデジタル画像データに変換する変換部などを備えて構成されている。
【００５６】
プリンタ部１７は、画像データに応じた画像を記録紙に印刷する機能を果たす。ここでは、記録紙の搬送装置と、感光体ドラムと、帯電装置と、レーザユニットと、現像装置と、転写装置と、分離装置と、クリーニング装置と、定着部とを有し、電子写真プロセスによって画像形成を行う、所謂レーザープリンタとして構成されている。
【００５７】
ファクシミリ通信部１８は、ファクシミリ送信やファクシミリ受信のための通信制御、発呼（ダイアル）、着呼、電話回線との接続などを行う。
【００５８】
表示部２０は、各種の操作画面や設定画面、案内画面、警告画面などをＵＩ（User Interface）として表示する機能を果たす。表示部２０は、たとえば液晶ディスプレイ（ＬＣＤ：Liquid Crystal Display）などで構成される。
【００５９】
操作部２１は、ユーザからの各種の操作を受け付けＣＰＵ１１に通知する機能を果たす。この操作部２１は、たとえば表示部２０の画面上に設けられたタッチパネルと、その他テンキー、スタートボタン、機能モードキーなどで構成される。
【００６０】
画像処理部２２は、外部の端末装置から受信した印刷データをイメージデータ（ビットマップデータ）に変換するラスタライズ処理、画像データの圧縮処理や伸張処理、画像の回転処理などを行う機能を備えている。
【００６１】
補助記憶装置２３は、大容量不揮発の記憶装置であり、画像データなどが保存される。この補助記憶装置２３は、たとえばハードディスクドライブなどである。
【００６２】
端末通信部２５は、接続された外部端末（たとえば、携帯端末３０）との間で情報の送受信を行う機能を備えている。この接続は、有線・無線を問わない。たとえば、接続の規格はＵＳＢ（Universal Serial Bus）のような有線の接続規格であってもよいし、ＩｒＤＡ（Infrared Data Association）のような無線の接続規格であってもよい。
【００６３】
検索条件記憶部２６は、災害情報処理サーバ４０に登録された安否確認情報の検索条件、および検索履歴を保存する機能を備えている。この検索履歴は検索条件の設定を受ける画面に適切なデフォルト表示をするためなどに使用される。
【００６４】
また、検索条件記憶部２６には検索条件として、検索に使用される１または複数のキーワード、キーワード間の優先度、キーワード間の従属関係などが保存される。
【００６５】
また、震災モードへ移行している際に、予め検索条件として保存されていなかった新たなキーワードが検索条件として入力された場合には、そのキーワードが検索条件として検索条件記憶部２６に自動的に保存されるようになっている。
【００６６】
なお、情報処理装置１０が震災モードへ移行した際に、安否確認情報の検索もしくは安否確認情報の登録を、予め設定した条件で自動的に行うか否かを設定可能になっており、その設定値は検索条件記憶部２６に保存される。
【００６７】
また、検索条件記憶部２６へ保存されるデータは、検索条件記憶部２６に代えて不揮発メモリ１５に保存されてもよいし、補助記憶装置２３に保存されてもよい。なお、検索条件記憶部２６へ保存されるデータは、接続された外部端末や外部記憶装置からインポートされてもよいし、外部へエクスポートされてもかまわない。
【００６８】
図３は、情報処理装置１０が災害情報処理サーバ４０に登録されている安否確認情報の検索を、ユーザから検索対象の指定操作を受けて行う場合の動作を示す流れ図である。情報処理装置１０は、接続されている携帯端末３０から安否確認情報の指定情報の候補（たとえば、電話帳データベースに登録されている電話番号）を自動的に抽出してそのリストを表示する。そして、該リストの中からユーザが安否確認を行いたい対象（個人）の選択を受け付け、この選択された対象（個人）に係る安否確認情報を災害情報処理サーバ４０から取得してその検索結果として表示するように動作する。
【００６９】
詳細には、ＣＰＵ１１は大規模災害の発生情報をネットワーク通信部１９より取得すると（ステップＳ１０１；Ｙｅｓ）、情報処理装置１０を震災モードへ移行させ、該震災モード用の表示画面（たとえば、図５の震災モード表示画面３１）を表示部２０に表示させる（ステップＳ１０２）。震災モード表示画面３１では、ＣＰＵ１１は安否確認情報の検索、もしくは安否確認情報の登録のどちらを行うかの選択を受け付ける。なお、震災モードへの移行は、ＣＰＵ１１が操作部２１を介してユーザから震災モードへの移行指示を受けた場合にも行われる（ステップＳ１０１；Ｙｅｓ）。
【００７０】
ＣＰＵ１１は、震災モード表示画面３１において、ユーザから安否確認情報の検索を行う旨の選択を受けた場合は（ステップＳ１０３；Ｙｅｓ）、端末通信部２５に携帯端末３０が接続されているか否かの確認を行う（ステップＳ１０４）。端末通信部２５に携帯端末３０が接続されていた場合は、災害情報処理サーバ４０に登録されている安否確認情報を検索するための指定情報（この指定情報、および指定情報の抽出方法については後述する）を当該携帯端末３０より取得する（ステップＳ１０５）。ここでは、携帯端末３０の電話帳データベースに登録されているすべての電話番号に係る情報を携帯端末３０から取得する。電話帳以外のデータベース、たとえば、アドレス帳などでもかまわない。
【００７１】
ＣＰＵ１１は、取得した指定情報を表示部２０に一覧として表示し、その中から災害情報処理サーバ４０に対して安否確認情報の提供を要求する対象の選択操作を受ける（ステップＳ１０７）。
【００７２】
ＣＰＵ１１は、携帯端末３０が端末通信部２５に未接続であった場合は（ステップＳ１０４；Ｎｏ）、操作部２１は災害情報処理サーバ４０に登録された安否確認情報を検索するための指定情報の入力操作をユーザから、たとえば図６に示す検索条件設定画面４１を用いて、受け付ける（ステップＳ１０６）。また、震災モードへ移行した際に安否確認情報を自動検索する旨の設定値が検索条件記憶部２６に記憶されていない場合も、同様にユーザからの指定情報の入力を受け付ける。
【００７３】
ＣＰＵ１１は、ステップＳ１０７で選択された対象（指定情報）、もしくはステップＳ１０６で入力された指定情報を用いた検索を実行するかキャンセルするかの選択操作をユーザから受け付け（ステップＳ１０８、Ｓ１０９）、キャンセル操作を受けた場合は（ステップＳ１０９；Ｙｅｓ）、ステップＳ１０２へ移行して震災モードの初期画面を表示する。
【００７４】
検索実行の指示を受けた場合は（ステップＳ１０８；Ｙｅｓ）、ＣＰＵ１１はステップＳ１０７で選択された指定情報もしくはステップＳ１０６で入力された指定情報を含む安否確認情報の提供要求を災害情報処理サーバ４０へネットワーク通信部１９を介して送信し、該当する安否確認情報の検索・提供を要求する（ステップＳ１１０）。
【００７５】
なお、安否確認情報の提供要求を受けた災害情報処理サーバ４０は、情報処理装置１０から受信した指定情報と対応した安否確認情報が登録されているか否かを検索する。該当する安否確認情報が登録されていた場合は、その内容を検索結果として情報処理装置１０へ送信する。該当する対象の安否確認情報が登録されていなかった場合には、該当の安否確認情報が、現在は登録されていない旨の通知を検索結果として情報処理装置１０に送信するように動作する。
【００７６】
ＣＰＵ１１は、送信した提供要求に対する応答（検索結果）を災害情報処理サーバ４０からネットワーク通信部１９を介して受信し（ステップＳ１１１）、その受信した検索結果を表示部２０に表示して（ステップＳ１１２）処理を終了する。該表示では、該当する安否確認情報が登録されていなければその旨が表示され、該当する安否確認情報が登録されていればその安否確認情報が表示される。
【００７７】
なお、該当する安否確認情報が現在登録されていない場合には、一定の時間間隔を置いて災害情報処理サーバ４０にこの安否確認情報の検索・提供を再度要求するように動作させてもよい。この動作を行うか否かの設定は、たとえば、検索条件記憶部２６に予め登録される。
【００７８】
図４は、情報処理装置１０が災害情報処理サーバ４０に登録されている安否確認情報の検索を自動的に行う場合の動作を示す流れ図である。図４の動作は、検索条件記憶部２６に、震災モードへ移行した際に指定情報の自動検索を行う旨の設定が保存されている場合に行われる。なお、図４において図３と同一の処理を行うステップには同じステップ番号を付してある。
ＣＰＵ１１は震災モードへ移行すると、接続されている携帯端末３０から安否確認情報の指定情報（たとえば、個人の電話番号）を予め設定されて検索条件記憶部２６に記憶されている検索条件（キーワードなど）に基づいて自動的に抽出し、この指定情報に該当する安否確認情報を災害情報処理サーバ４０から取得して表示する。以下では図４について、図３と差異があるステップについて説明する。
【００７９】
図４ではステップＳ１０５完了後、図３のステップＳ１０７に代えてステップＳ１０５Ｂが行われる。ステップＳ１０５Ｂでは、ステップＳ１０５で携帯端末３０から取得した電話帳データベースの全データの中から、検索条件記憶部２６に予め設定され保存されている検索条件に基づいて指定情報の絞込み検索を行う。ここでは、電話帳データベースは、電話番号を複数のフォルダに分けて管理しているものとし、検索条件に基づいて、フォルダ単位に指定情報を抽出する。該検索の詳細については後述する。
【００８０】
ＣＰＵ１１は、この検索によって抽出した全ての指定情報に基づいて、災害情報処理サーバ４０に登録されている安否確認情報を一括して取得する（ステップＳ１１０からＳ１１２）。
【００８１】
なお、上記の自動フォルダ検索の結果をリスト表示して、安否確認情報の提供要求を行う対象（個人）についてユーザの選択操作を受けてもよい。
【００８２】
図５は、情報処理装置１０が震災モードへ移行した際に、表示部２０に表示される震災モード表示画面３１の一例を示している。
【００８３】
図５の震災モード表示画面３１には、登録釦３２と、検索釦３３と、解除釦３５と、当該画面に係る操作の案内メッセージ３４が表示される。震災モード表示画面３１では、表示された各釦を押下することで震災モードの情報処理装置１０に安否確認情報の検索、もしくは安否確認情報の登録について処理を開始させる入力を受け付けることができる。
【００８４】
ＣＰＵ１１は、検索釦３３の押下操作を受けると、災害情報処理サーバ４０から安否確認情報を取得するための処理を行う（たとえば、図３および図４）。登録釦３２の押下操作を受けると災害情報処理サーバ４０へ安否確認情報を送信し登録するための処理を行う（たとえば、図９および図１０）。
【００８５】
ＣＰＵ１１は、解除釦３５の押下操作を受ける震災モードを解除し、標準の状態（たとえば、ＭＦＰ）に戻る。なお、震災モードの解除はユーザによる入力のみでなく、災害の沈静化を通知する情報を取得して自動的に解除する設定にしてもよい。たとえば、ネットワーク通信部１９を介して取得する気象庁発令の警戒解除情報などがこの情報にあたる。
【００８６】
次に、指定情報の抽出に用いられる検索条件について説明する。
【００８７】
検索条件に用いられるキーワードとしては、検索対象となる情報の属性や分類を示すキーワードが挙げられる。属性のキーワードとしては、たとえば電話帳では、指定情報（たとえば、電話番号）に対応付けされている個人名や続柄などがあり、分類のキーワードとはその属性のキーワードを複数含む上位の属性を示すキーワード（たとえば、父と母という属性のキーワードは家族という分類（上位の属性）のキーワードに含まれる）である。また、指定情報を保存しているファイルの名称や、ファイルが保存されている場所（たとえば、フォルダ名）なども、属性のキーワードの１つとされる。
【００８８】
また、他の検索条件としては通信履歴に係る検索条件が挙げられる。通信履歴に係る検索条件としては、たとえば通話時間や通話回数などがある。通信履歴に係る検索条件を用いることで、電話帳のデータベースに保存されたファイルの属性を用いなくても、すなわち、電話帳に登録されていない電話番号などであっても、指定情報として抽出することができる。
【００８９】
また、検索条件（キーワード）にはユーザが優先度を設定することができる。これにより、複数のキーワードを用いたＯＲ検索で多数の指定情報が抽出された場合でも、優先度の高いものから順に検索結果を表示するなどによって、目的の指定情報を取得することが簡便になっている。
【００９０】
図６に、指定情報の検索条件を設定するための検索条件設定画面４１の一例を示す。検索条件設定画面４１は、情報処理装置１０が震災モードに移行しているか否かに係らず、ＣＰＵ１１が操作部２１を介して所定の操作入力を受け付けることで表示部２０に表示される。
【００９１】
検索条件設定画面４１では、検索条件に係る設定の入力を受け付けることができる。検索条件設定画面４１には、設定メニュー４２と、選択フィールド４３と、ＵＩキーボード４４と、詳細釦４５と、ＯＫ釦４６と、キャンセル釦４７と、当該画面の操作に係る案内メッセージ４８とが表示される。案内メッセージ４８としては、検索条件選択画面４１において次にユーザが入力すべき操作を案内する情報が表示される。
【００９２】
検索条件設定画面４１では、各メニューに表示された項目はその表示箇所の押下操作を受けることによって選択状態となり、反転表示となる。選択状態で押下操作を再度受けると選択が解除される。
【００９３】
設定メニュー４２は、設定できる項目をメニュー形式で例示し、ユーザから項目の選択操作を受け付ける。設定メニュー４２に表示される項目としては、キーワード新規登録、キーワード設定変更、震災モード動作設定、選択メニュー設定、通信履歴検索設定などがある。キーワード新規登録では、保存されていない新規キーワードの設定の入力を受け付ける。キーワード設定変更では、保存されている既存キーワードの設定の変更入力を受け付ける。震災モード動作設定では、震災モードへ移行した際の自動検索や、自動登録における動作の設定を受け付ける。選択メニュー設定では、検索条件設定画面４１で表示される項目などについての設定を受け付ける。通信履歴検索設定では、通信履歴を対象に指定情報を検索する場合の検索条件に関する設定などを受け付ける。
【００９４】
選択フィールド４３は、設定メニュー４２で選択された項目について、その項目の詳細な事項についてリストで表示し、ユーザの選択操作を受け付ける。
【００９５】
ＵＩキーボード４４は、数字キー、アルファベット、変換キーなどのソフトキーで構成され、表示された各キーからの入力によってユーザからの文字入力を受け付ける。ソフトキーとは、画面上に表示され、その押下操作がタッチパネルによって検出される操作釦である。
【００９６】
詳細釦４５は、選択フィールド４３に表示された事項について、より詳細な内容の設定を受ける場合に操作される釦である。選択フィールド４３の中のいずれかの事項が選択された状態で詳細釦４５の押下操作を受けると、選択フィールド４３の表示箇所に、当該選択フィールド４３に代えて入力フィールド４９が表示される。入力フィールド４９は、ＵＩキーボード４４による文字入力を受け付けることができる。
【００９７】
ＯＫ釦４６は、設定メニュー４２、選択フィールド４３、および入力フィールド４９で受け付けた操作内容を確定させる際に押下される操作釦である。キャンセル釦４７は、検索条件設定画面４１にて受け付けた各種操作をキャンセルする際に操作される操作釦である。
【００９８】
たとえば、図６（ａ）で示すように、設定メニュー４２においてキーワード設定変更が選択されると、選択フィールド４３に既登録のキーワードの一覧が表示される。図６（ａ）の例では、選択フィールド４３に、検索条件記憶部２６に登録済みの各キーワードとその優先度とが横一列に対応付けて表示されている。図６（ｂ）は、図６（ａ）の選択フィールド４３において「家族」を選択して詳細釦４５を押下した場合に表示される入力フィールド４９の一例を示している。該入力フィールド４９には、詳細事項の入力対象とされているキーワードと、そのキーワードの優先度と、分類設定と、分類属性と、適用対象とが表示される。
【００９９】
優先度とは、検索結果の絞込みや検索結果の表示順位に反映される数値であり、数値が小さいほど優先度は高い。たとえば、優先度の数値が小さいほど、そのキーワードによる検索結果が上位に表示される。なお、図６（ｂ）の例では各キーワードに対して優先度を設定しているが、優先度別にその優先度を有するキーワードを設定するようにされてもよい。
【０１００】
分類設定とは、そのキーワードが分類を示すキーワードとして設定されているか否かを示す設定である。分類を示すキーワードにはそのキーワードが示す分類に属する下位のキーワードが分類属性として従属設定される。適用対象は、当該キーワードによる検索範囲を示しており、ここでは、フォルダを検索対象とするか、ファイルを検索対象とするか、あるいはその両方を検索対象とするかのいずれかを選択設定することができる。
【０１０１】
たとえば、図６（ｂ）では、家族というキーワードは、優先度が１に設定され、また分類を示すキーワードに設定され、その下位に属するキーワード（分類属性）として父、母、兄、妹が設定されている。また、ファイルおよびフォルダを検索対象にすることが設定されている。
【０１０２】
図７および図８は、接続された携帯端末３０より、設定された検索条件を用いて、指定情報を抽出する動作の概念を示す説明図である。図７はフォルダの名称を検索対象とした場合を、図８はファイルの属性を検索対象にした場合をそれぞれ示している。これらの図においては、携帯端末３０はデータベースとして電話帳を備えた携帯電話であり、指定情報は電話帳に保存された電話番号とする例で説明を行う。
【０１０３】
図７および図８では、電話帳のデータベースには、電話番号毎に１つのファイルが形成されて登録されているものとする。各ファイルには、電話番号、続柄、性別、略称などが登録される。また、電話帳には、複数のフォルダを作成でき、各ファイルはいずれかのフォルダの中に格納されるものとする。また、フォルダには名称を設定することができるようになっている。
【０１０４】
なお、一般に電話帳では、近い属性を有するファイルが同一のフォルダに格納され、そのフォルダには、格納されているファイルの分類を示す名称が設定される傾向がある。たとえば、父、母、兄、妹など、親等数の近い関係にある個人のファイルが格納されているフォルダには、家族という名称が設定される場合が多い。
【０１０５】
図７は、電話帳５０内のフォルダの名称を検索対象とした場合の一例を示している。同図では、ＣＰＵ１１がフォルダの名称を検索キーワードとして、接続された携帯端末の電話帳に保存されたファイルの中から、安否確認情報の指定情報である電話番号を、フォルダ単位で（そのフォルダに格納されている全てのファイルの指定情報を）抽出する概念を示す。
【０１０６】
図７（ａ）では、接続された携帯端末３０内に電話帳５０として保存されているデータベースがあり、そのデータベースでは同図にある８つのフォルダに分けて全てのファイルを保存している一例を示す。電話帳５０では、８つのフォルダのうち７つのフォルダには、そのフォルダに格納されているファイルの属性を示す名称が設定され、１つのフォルダは名称未設定になっている。
【０１０７】
この電話帳５０に対して、友人というキーワードを検索キーワードとし、検索対象をフォルダに設定して検索する場合、ＣＰＵ１１は、友人という名称のフォルダを見つけ出し、該フォルダに格納されているファイルの全ての電話番号を指定情報として抽出し、これらを検索結果として表示部２０に表示させる。
【０１０８】
図７（ｂ）は、上記検索結果が表示された検索結果表示画面５１の一例を示している。検索結果表示画面５１には、選択フィールド５２と、ＯＫ釦５３と、キャンセル釦５４と、当該画面の操作に係る案内メッセージ５５とが表示される。検索結果表示画面５１では、検索により抽出された指定情報がリスト表示され、災害情報処理サーバ４０へ検索を要求する指定情報の選択操作を受け付ける。詳細には、指定情報（電話番号）毎に、その電話番号に係る相手先名と、検索条件（検索キーワードと検索対象）とが対応付けてリスト表示される。選択フィールド５２に表示されたこのリストの中から、安否確認を希望する対象の電話番号を選択操作（複数選択可能）してＯＫ釦５３を押下すると、それらが災害情報処理サーバ４０に対して安否確認情報の提供を要求する対象に確定される。
【０１０９】
このように、友人を検索キーワードとすることで、フォルダ名称が「友人」のフォルダに格納されているすべての電話番号が抽出されるので、多数の友人に係る指定情報を携帯端末３０から簡単な操作で一括して抽出することができる。さらに、抽出した指定情報の中から、災害情報処理サーバ４０に対して安否確認情報の提供を要求する対象の指定情報を選択できるので、ユーザが希望する人物の安否確認情報を選択的に災害情報処理サーバ４０から取得することができる。
【０１１０】
図８は、電話帳内のフォルダに格納されている各ファイルの属性（内容）を検索対象とした場合の一例を示している。同図では、ＣＰＵ１１が、指定されたキーワードによって電話帳５０内のフォルダ内のファイルの属性を検索し、その検索されたファイルが格納されているフォルダ内の全ファイルから安否確認情報の指定情報である電話番号を抽出する概念を示す。
【０１１１】
図８（ａ）では、接続された携帯端末３０内に電話帳５６として保存されているデータベースがあり、この電話帳５６は各ファイルを名称の設定されていない８つのフォルダに分けて格納している例を示す。
【０１１２】
たとえば、家族全員の安否を確認したいが、図８（ａ）のように電話帳５６の各フォルダに名称が設定されていない場合には、図７のようなフォルダの名称を用いた検索（検索対象をフォルダ名とする検索）では目的の指定情報を抽出することはできない。そこで、検索対象をファイルとする検索を行う。ここでは、「父」「母」「友人」「会社」の４つを検索キーワードとし、検索対象をファイルの属性として検索を行う場合の例を示している。ＣＰＵ１１は「父」「母」「友人」「会社」の４つのいずれかのキーワードを属性に有するファイルを見つけ出し、そのファイルが格納されているフォルダ内の全ファイルから指定情報の抽出を行う。
【０１１３】
この検索条件では、図８（ｂ）に示すように、キーワード「父」を属性に有するファイルとキーワード「母」を属性に有するファイルとが格納されていた新規１フォルダと、キーワード「友人」を属性に有するファイルが格納されていた新規２フォルダと、キーワード「会社」を属性に有するファイルが格納されていた新規７フォルダの３つのフォルダに保存されていた、全てのファイルから指定情報が抽出される。同図では兄と妹のファイルは父や母の属性を有するファイルが格納されたフォルダに保存されていたため、兄と妹に係る指定情報も抽出されている。また、携帯端末保有者のＡさんの指定情報も、同一のフォルダに格納されていたため抽出されている。
【０１１４】
図８（ｃ）は、上記検索結果が表示された検索結果表示画面５１内（図７）の選択フィールド５２Ｂの一例を示している。選択フィールド５２Ｂの画面構成は図７（ｂ）の選択フィールド５２と同一である。複数のキーワードによって検索された場合、それぞれのキーワードに基づいて検索された指定情報は、その検索キーワードに設定された優先度に応じた表示順位で表示される。図８の例では、キーワード「父」、「母」は優先度１に、キーワード「友人」は優先度２に、キーワード「会社」は優先度３に設定されていたので、新規１フォルダに格納されていたファイル、新規２フォルダに格納されていたファイル、新規７フォルダに格納されていたファイル、という順にそれぞれのファイルから抽出された指定情報などが表示されている。ユーザは、選択フィールド５２Ｂに表示されたこのリストの中から安否確認情報の提供を希望する対象の指定情報のみを選択することができる。
【０１１５】
ここでは家族の安否確認情報のみを取得したいとしているので、「父」「母」の検索条件で抽出された指定情報の中で、必要な指定情報のみ（父、母、兄、妹）を選択操作した表示画面の例となっている。たとえば、Ａさんの指定情報は、最も優先度の高い「父」「母」のファイルが格納されていたフォルダに保存されていたため上位に表示されているが、Ａさんの安否確認情報は必要ないとされ、選択されていない。
【０１１６】
なお、検索キーワードで検索されたファイルのみから指定情報を抽出する構成の場合、たとえば、家族全員（図８の例では父、母、兄、妹）の指定情報を取得するには、家族全員のキーワードを検索条件として入力する必要があるが、ここでは、検索されたファイルが格納されているフォルダ内の全ファイルから指定情報を抽出するので、一部の検索キーワードを指定するだけで、希望する他の指定情報を同時に抽出することができる。すなわち、同一フォルダに格納されたファイルは関係が近いという前提に立てば、「父」や「母」など家族に関連する属性を有するファイルが格納されているフォルダには、同じく家族に関連のある「兄」「妹」などのファイルが存在する可能性が高いので、一部のキーワードによってそのキーワードと関連性の高いファイルからも指定情報を抽出することができ、検索キーワードの設定に関する手間が軽減される。
【０１１７】
また、分類を検索キーワードとすることで、該分類の下位に属する全ての属性について、該属性を有する全てのファイルの指定情報を一括して抽出することができる。すなわち、分類が検索キーワードとして用いられた場合は、その分類キーワード自身と、分類に属する（分類属性として設定されている）キーワードを全て検索条件とした場合と同様の結果が得られる。たとえば、図６（ｂ）のように、検索キーワード「家族」に分類設定（キーワード「家族」に「父」「母」「兄」「妹」が属している）がなされ、図８において検索キーワード「父」および検索キーワード「母」に代わって検索キーワード「家族」が用いられた場合、検索キーワード「家族」には検索キーワード「父」および検索キーワード「母」が属しているため、図８（ｃ）と同様の検索結果が取得できる。このように、適切な分類設定がなされた検索キーワードを検索条件に用いることにより、検索キーワードの設定に関する手間がさらに軽減される。
【０１１８】
また、検索条件として設定された検索キーワードの中で、最も優先度の高い検索キーワードにより検索されたフォルダのみを対象に、そのフォルダ内に格納されていた全ての指定情報を災害情報処理サーバ４０へ自動的に送信し、その指定情報に対応する安否確認情報を全て該サーバより取得するように動作させてもよい。たとえば、図８の電話帳５６に対して、図８と同様の検索キーワードの設定を用いて上記の動作をさせた場合には、キーワード「父」とキーワード「母」を含む新規１フォルダの優先度が最も高いので、新規１フォルダに格納されていたファイルの指定情報が全て抽出され、ユーザから選択および検索の指示を受けることなく、新規１フォルダから抽出した指定情報を全て災害情報処理サーバ４０へ送信し、対応する安否確認情報を全て要求するよう動作する。
【０１１９】
また、指定情報を抽出する検索条件には通信履歴の内容を用いることができる。通信履歴とは、たとえば携帯端末３０が電話機能を備えていた場合、履歴として保存されている当該携帯端末が過去に実行した通信の概要を示す情報である。通信履歴として保存される項目としては、たとえば、個々の通信についての接続先、通信開始日時、通信時間、着信か発信か、などが挙げられる。この通信履歴の項目のうち、通信時間など指定情報の抽出に適切な項目が指定情報の検索条件として用いられる。なお、通信履歴には、通信内容（たとえば、メールの文面や通話の内容など）は含まれない。
【０１２０】
また、通信履歴から指定情報を抽出するための検索条件としては、通信回数（同じ相手先への接続の累計回数）、通信頻度（同じ相手先への接続した時間間隔）、接続時間（同じ相手先への累計の接続時間）、直近接続先（最近接続した相手先）、などを用いることができる。
【０１２１】
すなわち、通信回数を検索条件とした検索では、通信履歴から、接続先毎に接続累計回数を算出し、接続累計回数の多い順に接続先を並べ替え、その順に接続先の情報を指定情報としてリスト表示する。そして、リストから選択された接続先に係る指定情報を災害情報処理サーバ４０へ送信して対応する安否確認情報を取得する。また、自動取得の場合にあっては、接続累計回数が所定の閾値回数以上の接続先を自動的に抽出し、これらの指定情報を災害情報処理サーバ４０へ送信して対応する安否確認情報を取得する。この場合、閾値回数などを任意に設定変更可能な構成にするとよい。
【０１２２】
また、通信頻度を検索条件とした検索では、通信履歴から、接続先毎に通信頻度の平均値（平均の通信時間間隔）を算出し、該平均値の小さい順に接続先を並べ替え、その順に接続先の情報を指定情報としてリスト表示し、該リストから選択された接続先に係る指定情報を災害情報処理サーバ４０へ送信して対応する安否確認情報を取得する。あるいは、平均値が閾値未満の接続先を自動的に抽出し、これらの指定情報を災害情報処理サーバ４０へ送信して対応する安否確認情報を取得する。この場合、閾値を任意に設定変更可能な構成にするとよい。
【０１２３】
同様に、接続時間を検索条件とした検索では、通信履歴から、接続先毎に接続時間の平均値（平均の接続時間）を算出し、該平均値の長い順に接続先を並べ替え、その順に接続先の情報を指定情報としてリスト表示し、該リストから選択された接続先に係る指定情報を災害情報処理サーバ４０へ送信して対応する安否確認情報を取得する。あるいは、平均値が閾値を超える接続先を自動的に抽出し、これらの指定情報を災害情報処理サーバ４０へ送信して対応する安否確認情報を取得する。この場合、閾値を任意に設定変更可能な構成にするとよい。
【０１２４】
また、直近接続先を検索条件とした検索では、通信履歴から、最近の接続した順に接続先を並べ（同一の接続先への接続が複数あるときは最近の通信を優先する）、その順に接続先の情報を指定情報としてリスト表示し、該リストから選択された接続先に係る指定情報を災害情報処理サーバ４０へ送信して対応する安否確認情報を取得する。あるいは、最近の接続した順に並べた中から上位Ｎ個（Ｎは1以上の任意整数）の接続先を自動的に抽出し、これらの指定情報を災害情報処理サーバ４０へ送信して対応する安否確認情報を取得する。この場合、Ｎ個を任意に設定可能な構成にするとよい。
【０１２５】
なお、通信履歴での検索条件は、図６の検索条件設定画面４１の設定メニュー４２において通信履歴検索設定を選択することで詳細設定することができる。たとえば、通信履歴検索設定を選択すると、選択フィールド４３に、検索条件記憶部２６に保存された通信履歴検索の項目がリスト表示される。このリスト表示には、通信回数、通信頻度、接続時間、直近接続先などが表示される。この項目のいずれかが選択された状態で詳細釦４５の押下操作を受けると、選択フィールド４３の表示箇所に、当該選択フィールド４３に代えて入力フィールド４９が表示され、該入力フィールド４９にて、詳細事項、たとえば、上述の閾値などを設定変更できるようになっている。
【０１２６】
次の、安否確認情報の登録について説明する。
【０１２７】
図９は、情報処理装置１０が災害情報処理サーバ４０への安否確認情報の登録を、ユーザから登録対象の指定操作を受けて行う場合の動作を示す流れ図である。
【０１２８】
情報処理装置１０は、接続されている携帯端末３０から安否確認情報として携帯端末保有者の個人情報を自動的に抽出してその内容を表示する。そして、表示内容に関する登録の承認を受けると、この個人情報を安否確認情報として災害情報処理サーバ４０へ送信して登録させるように動作する。
【０１２９】
詳細には、ＣＰＵ１１は大規模災害の発生情報をネットワーク通信部１９より取得すると（ステップＳ２０１；Ｙｅｓ）、情報処理装置１０を震災モードへ移行させ、震災モードへの移行を示す表示画面（たとえば、震災モード表示画面３１）を表示部２０に表示させる（ステップＳ２０２）。この画面では、ＣＰＵ１１は安否確認情報の検索、もしくは安否確認情報の登録のどちらを行うかの選択を受け付ける。なお、震災モードへの移行は、ＣＰＵ１１が操作部２１を介してユーザから震災モードへの移行指示を受けた場合にも行われる（ステップＳ２０１；Ｙｅｓ）。
【０１３０】
ＣＰＵ１１は、この震災モード表示画面３１において、ユーザから安否確認情報の登録を行う旨の選択を受けた場合は（ステップＳ２０３；Ｙｅｓ）、端末通信部２５に携帯端末３０が接続されているか否か確認を行う（ステップＳ２０４）。端末通信部２５に携帯端末３０が接続されていた場合は、ＣＰＵ１１は災害情報処理サーバ４０へ安否確認情報として登録するための情報（たとえば、個人名や住所など）を、携帯端末３０より端末通信部２５を通じて取得し（ステップＳ２０５）、その個人情報を、たとえば、図１１に示す安否確認情報表示画面５７などのようにして表示部２０に表示する。ここでは、携帯端末３０の保有者として登録されている個人の情報を携帯端末３０から取得している。
【０１３１】
図１１の安否確認情報表示画面５７には、表示フィールド５８と、ＯＫ釦５９と、キャンセル釦６０と、当該画面の操作に係る案内メッセージ６１とが表示される。表示フィールド５８には、携帯端末３０より取得した個人情報として、その個人の電話番号と、名前と、Ｅメールアドレスと、住所などが表示されている。案内メッセージ６１は、安否確認情報表示画面５７において次にユーザが入力すべき操作を案内する情報であり、この例では、表示フィールド５８の表示内容を安否確認情報として災害情報処理サーバ４０へ登録するか否かを問い合わせるメッセージとして「登録しますか」というメッセージが表示されている。ＯＫ釦５９は、登録の実行を指示する際に押下される操作釦であり、キャンセル釦６０は、登録をキャンセルする際に操作される操作釦である。
【０１３２】
図９に戻って説明を続ける。ＣＰＵ１１は、携帯端末３０が端末通信部２５に未接続であった場合は（ステップＳ２０４；Ｎｏ）、災害情報処理サーバ４０へ安否確認情報として登録するための個人情報の入力操作をユーザから、たとえば図１２に示す安否確認情報入力画面６２を用いて受け付ける（ステップＳ２０６）。また、震災モードへ移行した際に安否確認情報を自動登録する旨の設定値が検索条件記憶部２６に保存されていない場合も、同様にユーザからの個人情報の入力を受け付ける。図１２に示す安否確認情報入力画面６２には、入力フィールド６３と、ＵＩキーボード６４と、ＯＫ釦６５と、キャンセル釦６６と、当該画面の操作に係る案内メッセージ６７とが表示される。
【０１３３】
入力フィールド６３には、予め、名前と、電話番号と、Ｅメールアドレスと、住所の入力欄が設けられており、各入力欄を備えている。ＵＩキーボード６４は、入力フィールド６３の各入力欄への文字入力を受け付けるためのソフトキーであり、図６のＵＩキーボード４４と同様の構成である。ＯＫ釦６５は、入力フィールドに表示された内容を安否確認情報として災害情報処理サーバ４０に登録する動作の実行を指示する際に押下される操作釦であり、キャンセル釦６６は、上記登録をキャンセルする際に操作される操作釦である。案内メッセージ６７は、図１１と同様である。
【０１３４】
図９に戻って説明を続ける。ＣＰＵ１１は、ステップＳ２０７で安否確認情報表示画面５７に表示した個人情報、もしくはステップＳ２０６で入力された個人情報の登録を実行するかキャンセルするかの選択操作をユーザから受け付け（ステップＳ２０８、Ｓ２０９）、キャンセル操作を受けた場合は（ステップＳ２０９；Ｙｅｓ）、ステップＳ２０２へ移行して震災モードの初期画面を表示する。
【０１３５】
登録実行の指示を受けた場合は（ステップＳ２０８；Ｙｅｓ）、ＣＰＵ１１はステップＳ２０７で表示した個人情報もしくはステップＳ２０６で入力された個人情報の安否確認情報としての登録要求を災害情報処理サーバ４０へネットワーク通信部１９を介して送信する。本例では、図１１の安否確認情報表示画面５７や図１２の安否確認情報入力画面６２に表示された個人情報のうちの、名前やＥメールアドレス、住所などが安否確認情報の本体となり、電話番号がこの安否確認情報を検索する際の指定情報として登録される。
【０１３６】
なお、安否確認情報の登録要求を受けた災害情報処理サーバ４０は、情報処理装置１０から受信した情報の中の指定情報（本例では電話番号）と同一の指定情報と対応付けられた安否確認情報が既に登録されているか否かを検索する。該当する安否確認情報が登録されていた場合は、その旨を情報処理装置１０へ送信し、登録されている安否確認情報を更新するか否かを確認する旨の通知を情報処理装置１０へ送信するよう動作する。該当する対象の安否確認情報が登録されていなかった場合には、安否確認情報として登録し、登録が完了した旨の通知を情報処理装置１０に送信するよう動作する。
【０１３７】
図１０は、情報処理装置１０が災害情報処理サーバ４０への安否確認情報の登録を自動的に行う場合の動作を示す流れ図である。なお、図１０においては、図９と同一の処理を行うステップに同じステップ番号を付してある。図１０の動作は、検索条件記憶部２６に震災モードへ移行した際に安否確認情報の自動登録を行う旨の設定がされている場合に行われる。
【０１３８】
ＣＰＵ１１は震災モードへ移行すると、接続された携帯端末３０より、安否確認情報を登録したい対象（個人）の情報を予め検索条件記憶部２６に設定された検索条件を用いて抽出し、災害情報処理サーバ４０へ、その抽出した情報を送信して安否確認情報として登録させる。以下では図１０について、図９との差異がある事項について説明する。
【０１３９】
図１０では、ＣＰＵ１１は、接続されている携帯端末３０から安否確認情報として携帯端末保有者の個人情報を自動的に抽出し（ステップＳ２０５）、その情報についてユーザから登録の指示（許可）を受けることなく、その抽出した情報を災害情報処理サーバ４０へ自動送信し、安否確認情報として登録させ（ステップＳ２１０）、処理を終了する。
【０１４０】
なお、図９、図１０のステップＳ２１０において、何らかの問題（たとえば、回線の混雑など）により送信した情報の安否確認情報としての登録が確認されない場合には、一定の時間間隔を置いて災害情報処理サーバ４０にこの情報の登録を再度要求するように動作させてもよい。この動作を行うか否かの設定は、たとえば、検索条件記憶部２６に予め保存される。
【０１４１】
また、図９、図１０では携帯端末３０の保有者の個人情報のみを抽出し、安否確認情報として災害情報処理サーバ４０へ登録しているが、たとえば、検索キーワード「父」や「母」、「家族」、「ファミリー」などを検索条件に用いて当該携帯端末３０より個人情報を抽出するように構成されてもよい。図９の場合は、抽出した個人情報をリスト表示し、その中から選択操作を受け、選択された個人情報を災害情報処理サーバ４０へ登録するように構成される。また図１０の場合は、検索条件に基づいて抽出した個人情報の全てを自動的に災害情報処理サーバ４０へ送信して登録されるように構成される。なお、キーワードによる検索の方法は、前述した、指定情報に基づいて安否確認情報の提供を要求する場合と同様にすればよい。
【０１４２】
図１３は、接続された携帯端末３０から抽出された個人情報を情報処理装置１０から災害情報処理サーバ４０へ安否確認情報として登録する際に、情報処理装置１０において情報が追加される様子を示している。情報処理装置１０は携帯端末３０から取得した個人情報に、当該携帯端末３０が接続された情報処理装置１０の設置場所（ログイン場所）や携帯端末３０が接続された時刻（ログイン時刻）などを追加して、災害情報処理サーバ４０へ送信して登録するようになっている。これにより、この安否確認情報の閲覧者が該安否確認情報に対応付けられた対象の被災状況（足取りなど）などを詳しく知ることができる。
【０１４３】
上記の追加情報（ログイン場所およびログイン時刻）は、災害情報処理サーバ４０への安否確認情報登録時に自動的に添付される。また、メッセージや画像情報を追加情報として添付することもできる。メッセージの追加態様には、ＵＩキーボードなどを介した文字入力を受け付けて添付する、予め設定された文章を添付する、保存されている定型文のリストから選択された文章を添付する、などがある。画像情報を追加する場合は、接続した携帯端末から取得して添付する、予め情報処理装置に保存されたイメージから選択して添付する、などの操作入力によって追加することができる。たとえば、追加情報として被災地で撮影した画像や、家族への伝言などを添付することにより、この安否確認情報の閲覧者が該安否確認情報に対応付けられた対象の被災状況を詳しく知ることができる。
【０１４４】
上記の追加情報を添付するか否かの確認は、たとえば、安否確認情報の登録をパネル表示で行う（たとえば、図９の動作）場合には、登録する該情報を確定させた際に（たとえば、図９：ステップＳ２０８において）行うようにすればよい。また、安否確認情報の登録を自動で行う（たとえば、図１０の動作）場合は、予め添付する定型文（たとえば、被災時の連絡先や集合場所）などの設定がなされていれば添付するか否かを確認せずに自動的に添付すればよい。なお、この追加情報の添付を行わない設定で動作させることもできる。この動作を行うか否かの設定は、たとえば、検索条件記憶部２６に予め保存される。
【０１４５】
このように、本実施の形態に係る情報処理装置１０では、災害情報処理サーバ４０より安否確認情報を取得するために必要な指定情報を、携帯端末内から抽出することができるので、安否確認を所望する対象（個人）の電話番号など、安否確認情報の取得に必要な指定情報を覚えていなくても、簡便な入力操作でその対象（個人）の安否確認情報を取得することができる。
【０１４６】
また、接続された携帯端末３０からの指定情報の検索・抽出を、指定情報の属性として保存されている情報をキーワードとして用いて検索することができるので、たとえば、安否確認情報の指定情報が電話番号である場合、家族や友人の電話番号を覚えていなくても、「家族」や「友人」をキーワードとして入力することで該当する電話番号を携帯端末から抽出して、災害情報処理サーバに送信し、目的の安否情報を取得することができる。
【０１４７】
また、「家族」などの分類をキーワードとすれば、その分類に属する指定情報を一括して抽出することができる。すなわち、電話帳などの登録データが「家族」、「友人」といった名称をもつフォルダで分類されていれば、「家族」という分類を示すキーワードによって、その名称を持つフォルダ内の指定情報を一括して抽出することができる。
【０１４８】
さらに、分類のキーワードに対して分類属性（下位のキーワード）を設定するようにしたので、分類を検索キーワードに指定するだけで、分類を示すキーワードに加えてその分類属性のキーワードでも指定情報が検索され、関連する指定情報を一括して抽出することができる。たとえば、携帯端末に、父、母、兄、妹に係る安否確認情報の指定情報がそれぞれ家族という分類で登録されていれば、検索条件として家族というキーワードを使用することで、個々のキーワードの入力が不要となり、簡便な入力操作で父、母、兄、妹に係るすべての指定情報を抽出することができる。
【０１４９】
また、接続された携帯端末３０内に保存されている指定情報を、その情報が含まれているフォルダごと抽出するので、１つのフォルダに緊密な関係のファイルが保存される傾向を利用して、少ないキーワードで同じフォルダに含まれる複数の指定情報を一度に抽出することができる。これにより、個々のキーワードの入力が不要となり、簡便な入力操作で目的の指定情報を抽出することができる。
【０１５０】
また、接続された携帯端末３０内に保存されている個人情報のデータベースである電話帳やアドレス帳には、電話番号、住所、続柄（同僚、友人、家族）などが関連付けて登録されているので、これら電話帳やアドレス帳を検索対象とし、さらに適切な属性を検索条件とすることで安否確認情報の指定情報を簡便に抽出することができる。
【０１５１】
また、接続された携帯端末３０内で行われた通信の履歴に基づいて、安否確認情報の指定情報を検索するので、電話帳に登録されていない対象でも指定情報を抽出することができる。たとえば、安否確認情報の指定情報の取得に電話番号が必要である場合、直近に通話した相手の電話番号を覚えていなくても直近の通話対象を通信履歴から検索することでその電話番号を災害情報処理サーバ４０に送信し、安否確認情報を取得することができる。また、携帯端末３０によって実際に行われた通信の相手は保有者にとって密接な関係を有する人物と想定できるので、通信履歴を検索することで、より適切（密接な関連のある）な対象を抽出することができる。
【０１５２】
また、ユーザから検索キーワードの設定を受け付けることができるので、予め情報処理装置１０に保存された既存のキーワードを使用するだけではなく、ユーザが任意で登録した新たなキーワードを検索キーワードとして使用することができる。たとえば、ユーザの保有する携帯端末に登録されているデータベースに適したキーワードを任意に設定できる。
【０１５３】
また、指定情報の検索結果が表示される表示部２０と、ユーザの選択入力を受け付ける操作部２１を備えているので、接続された携帯端末３０内から安否確認情報の指定情報が多数抽出された場合に、それら指定情報の中から安否確認情報を取得したい対象（個人）の指定情報のみをユーザが選択することができる。
【０１５４】
また、接続された携帯端末から災害情報処理サーバへの登録対象となる個人情報を抽出し、その個人情報を安否確認情報として災害情報処理サーバに登録を要求するものでは、簡便な操作で災害情報処理サーバへ安否確認情報を登録することができるので、安否確認情報を登録する装置としての利便性が高い。
【０１５５】
また、携帯端末３０に保存されている個人情報のうち、携帯端末保有者として登録されている個人の情報を自動的に抽出し、その個人の安否確認情報として災害情報処理サーバ４０に登録できるので、携帯端末の所有者は自己の個人情報を手入力することなく、登録できる。
【０１５６】
また、接続された携帯端末３０からの個人情報の検索・抽出を、個人情報の属性として保存されている情報を、所定のキーワードで検索することによって行うことができる。たとえば、家族や友人の詳細な個人情報を覚えていなくても、「家族」や「友人」をキーワードとして入力することで該当する個人情報を、携帯端末３０から抽出して災害情報処理サーバ４０に送信し、その個人の安否確認情報として登録することができる。
【０１５７】
また、接続された携帯端末内から安否確認情報として登録できる個人情報が多数抽出された場合に、それら個人情報の中から安否確認情報として登録したい対象（個人）の個人情報のみをユーザが選択することができる。これにより、キーワードなどを検索キーとした抽出で所望の対象（個人）の個人情報のみをうまく抽出できなかった場合でも、その中から必要な個人情報のみを選択すれば、災害情報処理サーバへ所望の対象（個人）の個人情報のみその対象（個人）の安否確認情報として登録することができる。
【０１５８】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１５９】
たとえば、図５、図６（ａ）、図６（ｂ）、図７（ｂ）、図８（ｃ）、図１１および図１２に示された表示部２０のＵＩ表示は実施の形態の一例であり、本発明におけるＵＩ表示の実施の形態はこれに限らない。
【０１６０】
たとえば、検索条件設定画面４１でのキーワードのリスト表示や、図８（ｃ）の検索結果表示画面５１におけるリスト表示において、キーワードや指定情報の表示色、表示サイズ、字体などを優先度に応じて相違させるように構成されてもよい。
【０１６１】
また、分類を検索キーワードとした場合に、まずフォルダ名が分類のキーワードであるフォルダが検索され、該当するフォルダが存在せず抽出できなかった場合に、該分類の検索キーワードに設定されている分類属性のキーワードを属性に有するファイルが検索され、指定情報が抽出されるような構成にしてもよい。たとえば、図６（ｂ）のように検索キーワード「家族」に分類設定がなされている（キーワード「家族」の分類属性に「父」「母」「兄」「妹」が設定されている）場合、まずフォルダ名が「家族」のフォルダが検索され、該当フォルダが存在しない場合には、次に「家族」の分類属性（「父」「母」「兄」「妹」）をキーワードとして各フォルダ内に格納されたファイルが検索され、指定情報が抽出される。第１の実施の形態における分類キーワードを用いた検索の動作と異なる点は、分類キーワードの検索対象は常にフォルダであり、分類属性の検索対象は常にファイルであるという点である。
【０１６２】
また、分類を検索キーワードとした場合に、まず検索対象（フォルダかファイルか）が選択され、次にその検索対象が分類のキーワードで検索され、該当する対象が存在せず抽出できなかった場合に、該分類の検索キーワードに設定されている分類属性を用いて同様の対象が検索され、指定情報が抽出されるような構成にしてもよい。たとえば、図６（ｂ）のように検索キーワード「家族」に分類設定がなされている（キーワード「家族」の分類属性に「父」「母」「兄」「妹」が設定されている）場合には、まず選択した検索対象について、「家族」の属性を有するものを検索する。該当する検索対象が存在しない場合には、次に「家族」の分類属性（「父」「母」「兄」「妹」）をキーワードとして検索対象の検索が行われ、指定情報が抽出される。上記の分類キーワードを用いた検索の動作と異なる点は、分類キーワードとその分類属性が同じ検索対象について順次検索を行うという点である。
【０１６３】
なお、実施の形態では指定情報を電話番号としているが、Ｅメールアドレスなど個人を特定できる情報を任意に指定情報として選択してもよい。また、災害情報処理サーバ４０から指定情報の種類情報を入手して、その指定情報を検索できるように設定できる構成にしてもよい。
【０１６４】
また、接続された携帯端末３０が複数のデータベース（たとえば、電話帳１、電話帳２など）を備えている場合、指定情報を抽出するデータベースを任意で選択できる構成にしてもよい。
【０１６５】
また、操作表示装置（表示部２０、操作部２１およびＣＰＵ１１）を有する情報処理装置１０を例に説明したが、操作表示装置が設けられる装置は情報処理装置１０に限定されるものではない。例として複合機を用いたが、外部端末および外部ネットワークと接続が可能である情報処理装置ならば、他の装置でもよい。
【符号の説明】
【０１６６】
１０…情報処理装置
１１…ＣＰＵ
１２…バス
１３…ＲＯＭ
１４…ＲＡＭ
１５…不揮発メモリ
１６…スキャナ部
１７…プリンタ部
１８…ファクシミリ通信部
１９…ネットワーク通信部
２０…表示部
２１…操作部
２２…画像処理部
２３…補助記憶装置
２４…補助記憶装置接続部
２５…端末通信部
２６…検索条件記憶部
３０…携帯端末
３１…震災モード表示画面
３２…登録釦
３３…検索釦
３４…案内メッセージ
３５…解除釦
４０…災害情報処理サーバ
４１…検索条件設定画面
４２…設定メニュー
４３…選択フィールド
４４…ＵＩキーボード
４５…詳細釦
４６…ＯＫ釦
４７…キャンセル釦
４８…案内メッセージ
４９…入力フィールド
５０…電話帳
５１…検索結果表示画面
５２、５２Ｂ…選択フィールド
５３…ＯＫ釦
５４…キャンセル釦
５５…案内メッセージ
５６…電話帳
５７…安否確認情報表示画面
５８…表示フィールド
５９…ＯＫ釦
６０…キャンセル釦
６１…案内メッセージ
６２…安否確認情報入力画面
６３…入力フィールド
６４…ＵＩキーボード
６５…ＯＫ釦
６６…キャンセル釦
６７…案内メッセージ
【図１】
2011019199.tif 000003
【図２】
2011019199.tif 000004
【図３】
2011019199.tif 000005
【図４】
2011019199.tif 000006
【図５】
2011019199.tif 000007
【図６】
2011019199.tif 000008
【図７】
2011019199.tif 000009
【図８】
2011019199.tif 000010
【図９】
2011019199.tif 000011
【図１０】
2011019199.tif 000012
【図１１】
2011019199.tif 000013
【図１２】
2011019199.tif 000014
【図１３】
2011019199.tif 000015